(57)【要約】      （修正有）【課題】人間工学に適合させて快適に使用できる椅子を提供する。【解決手段】椅子は、脚部１と、座２と、背もたれ３と、少なくとも一側にある可動式肘掛け４とを備える。脚部１のチューブ１１の上部には、前上方に向けて湾曲されている組み合わせ用チューブ１２が形成され、その組み合わせ用チューブ１２の外側には背もたれ３の両側のブッシング３１が嵌合されている。組み合わせ用チューブ１２内部には可動式肘掛け４のシャフト４１が挿入されている。シャフト４１は、ブッシング３１および組み合わせ用チューブ１２を貫通する単一の固定用部材により固定されている。これにより、脚部１、背もたれ３及び肘掛け４の三部品の装設及び結合が簡単に達成でき、構造が簡易で、装設が便利な、且つ少なくとも一側にある可動式肘掛けが選択して装設可能である。【選択図】図２
0003215243.tif 000002
【実用新案登録請求の範囲】
【請求項１】
脚部と、座と、背もたれと、少なくとも一側にある可動式肘掛けとを備え、
前記脚部のうち後上方に向けて延伸される両側のチューブの上部には、前記チューブの上部が前上方に向けて一定の角度湾曲されることにより組み合わせ用チューブが形成されており、
前記組み合わせ用チューブの外側には、前記背もたれの両側のブッシングが嵌合されており、
前記チューブ内部には、前記可動式肘掛けのシャフトが挿入されており、
前記シャフトは、前記ブッシングおよび前記組み合わせ用チューブを貫通する単一の固定用部材により固定されていることを特徴とする椅子。
【請求項２】
前記背もたれの両側辺には、前記組み合わせ用チューブの外側に嵌合される前記ブッシングが設置されていることを特徴とする請求項１に記載の椅子。
【請求項３】
前記可動式肘掛けは、前記組み合わせ用チューブ内部に挿入されている前記シャフト、及び、前記シャフトの上端に枢設される肘掛けを備えることを特徴とする請求項１に記載の椅子。
【請求項４】
前記可動式肘掛けの前記シャフトのうち、前記肘掛けが枢設される部位の前方には、前記肘掛けを平置設置させて支持させるための支持面が形成されていることを特徴とする請求項３に記載の椅子。
【考案の詳細な説明】
【技術分野】
【０００１】
本考案は、装設する肘掛けを容易に選択可能であり、人間工学に適合させて快適に使用でき、加工製造及び組み合わせに利便な椅子に関し、より詳しくは、単一の固定用部材を貫通させることにより、脚部、背もたれ及び肘掛けの三部品の装設及び結合を簡単に達成可能な椅子に関する。
【背景技術】
【０００２】
一般的な従来の肘掛けを有する椅子はどれも装設過程において肘掛け及び脚部の結合及び固定を完成させている。
【考案の概要】
【考案が解決しようとする課題】
【０００３】
しかしながら、脚部および肘掛けは固定されているため、消費者が購入後に選択的に肘掛けを装設するか否かを決められない。このため、消費者にとっては椅子の活用性、快適性、及び利便性が制限され、椅子を状況や使用上の要求に応じて変化させて運用することも制限されていた。
【０００４】
椅子に肘掛けが設置されることで使用者が椅子に座ったり椅子から立ち上がったりする際に邪魔になったり、肘掛けのない椅子では着席時に腕を載せる場所がなく不快であったりする場合があり、産業界では市場で受け入れられるように肘掛けのある椅子とない椅子とを生産している。これでは投資コストの負担が増し、椅子を多用途に使用したいという消費者の心理を満足させることもできなかった。
【０００５】
そこで、容易に取り外し可能な椅子の肘掛け構造をいかに創出し、消費者の需要に応じて容易に変化させて装設させることが可能な椅子の肘掛けをいかに創出し、使用者が座ったり立ち上がったりする際に邪魔にならない椅子の肘掛けをいかに創出し、構造が簡易で、堅牢で、且つ消費者が自分で簡単に選択させて装設可能な椅子の肘掛け構造をいかに創出するかが技術革新の目標であり、改良が待たれていた。
【０００６】
かかる従来の実情に鑑みて、本考案は、椅子を提供することを目的とする。
【課題を解決するための手段】
【０００７】
上述した課題を解決し、目的を達成するために、本考案に係る椅子は、脚部と、座と、背もたれと、少なくとも一側にある可動式肘掛けとを備える。
脚部のうち後上方に向けて延伸される両側のチューブの上部には、そのチューブの上部が前上方に向けて一定の角度湾曲されることにより組み合わせ用チューブが形成されている。
前記組み合わせ用チューブの外側には、背もたれの両側のブッシングが嵌合されている。
チューブ内部には可動式肘掛けのシャフトが挿入されている。シャフトは、ブッシングおよび組み合わせ用チューブを貫通する単一の固定用部材により固定されている。
【０００８】
好ましくは、背もたれの両側辺には、脚部の両側のチューブの上部に位置し前上方に向けて湾曲されている組み合わせ用チューブの外側に嵌合されるブッシングが設置されている。
【０００９】
好ましくは、可動式肘掛けは、脚部の両側のチューブの上部に位置し前上方に向けて湾曲されている組み合わせ用チューブ内部に挿入されているシャフト、及び、シャフトの上端に枢設される肘掛けを備える。
【００１０】
好ましくは、可動式肘掛けのシャフトのうち、肘掛けが枢設される部位の前方には、肘掛けを平置設置させて支持させるための支持面が形成されている。
【考案の効果】
【００１１】
脚部のチューブの組み合わせ用チューブ、背もたれのブッシングおよび肘掛けのシャフトを単一の固定用部材で固定されることにより、脚部、背もたれ及び肘掛けの三部品の装設及び結合が容易に達成される。また、構造が簡易で、装設が便利で、低コスト、産業上の利用性及び経済性を兼ね備えている。また、片側或いは両側に肘掛けを装設させるかを容易に選択できるため、人間工学に適合させて快適な使い心地の椅子が構成される。使用環境及び使用上の要求に応じて、肘掛けを装設させるか否か、または片側或いは両側に装設させるかを選択可能な椅子が提供される。ＤＩＹで装設可能な椅子であり、メンテナンスや更新がより便利になる。
【図面の簡単な説明】
【００１２】
【図１】本考案の一実施形態の椅子を説明する概略図である。
【図２】図１の左側面図である。
【図３】椅子の背もたれを示す概略図である。
【図４】椅子の可動式肘掛けの肘掛けを示す正面図である。
【図５】図４の上面図である。
【図６】図４の右側面図である。
【図７】椅子の可動式肘掛けのシャフトを示す正面図である。
【図８】図７の上面図である。
【図９】図７の右側面図である。
【図１０】椅子の可動式肘掛けを組み合わせ後の動作を示す概略図である。
【図１１】椅子の脚部、背もたれ及び可動式肘掛けを組み合わせ後の断面図である。
【考案を実施するための形態】
【００１３】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１４】
次に、図１〜図１１を参照しながら、本考案の一実施形態をさらに詳しく説明する。図１及び図２に示される椅子は、脚部１と、座２と、背もたれ３と、両側にある可動式肘掛け４とを備える。
【００１５】
脚部１のうち後上方に向けて延伸される両側のチューブ１１の上部には、そのチューブ１１の上部が前上方に向けて一定の角度湾曲されてることにより組み合わせ用チューブ１２が形成されている。組み合わせ用チューブ１２の外側には、背もたれ３の両側のブッシング３１が嵌合されている。組み合わせ用チューブ１２内部には、可動式肘掛け４のシャフト４１が挿入されている。シャフト４１は、ブッシング３１および組み合わせ用チューブ１２を貫通する単一の固定用部材５によりチューブ１２に固定されている。
【００１６】
図３に示される背もたれの実施形態によると、背もたれ３の両側辺には、脚部１の両側のチューブ１１の上部に位置し前上方に向けて湾曲されている組み合わせ用チューブ１２の外側に嵌合されるブッシング３１が設置されている。
【００１７】
図４〜図１０に示される可動式肘掛けの実施形態によれば、可動式肘掛け４は、脚部１の両側のチューブ１１の上部に位置し前上方に向けて湾曲されている組み合わせ用チューブ１２内部に挿入されるシャフト４１、及び、ピボット軸４２によりシャフト４１の上端に枢設される肘掛け４を備える。図７〜図１０に示される例のように、可動式肘掛けのシャフト４１のうち、肘掛け４が枢設される部位の前方には、肘掛け４を平置設置させて支持させるための支持面４３が形成されている。
【００１８】
図１１に示される実施形態では、脚部１のうち後上方に向けて延伸される両側のチューブ１１の上部の組み合わせ用チューブ１２に、背もたれ３のブッシング３１および肘掛け４のシャフト４１が単一の固定用部材５により固定されることにより、脚部１、背もたれ３及び肘掛け４の三部品の装設及び結合が容易に達成される。構造が簡易で、装設が便利な、且つ少なくとも一側にある可動式肘掛けが選択して装設可能であるため、人間工学に適合させて快適に使用できる椅子が構成される。
【００１９】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２０】
１  脚部
１１  チューブ
１２  組み合わせ用チューブ
２  座
３  背もたれ
３１  ブッシング
４  可動式肘掛け
４１  シャフト
４２  ピボット軸
４３  支持面
５  固定用部材
【図１】
0003215243.tif 000003
【図２】
0003215243.tif 000004
【図３】
0003215243.tif 000005
【図４】
0003215243.tif 000006
【図５】
0003215243.tif 000007
【図６】
0003215243.tif 000008
【図７】
0003215243.tif 000009
【図８】
0003215243.tif 000010
【図９】
0003215243.tif 000011
【図１０】
0003215243.tif 000012
【図１１】
0003215243.tif 000013